(57)【要約】【課題】隣り合う配管カバーの間に熱収縮等によるズレが生じた場合であっても、結露発生や外観不良等の不具合が生じにくい配管カバーの継手構造を提供する。【解決手段】本発明に係る配管カバー２０の継手構造２は、内側配管１０の外周に配される配管カバー２０ａ，２０ｂを備える配管１において、第２継手部材４０から突出する第２配管カバー２０ｂの端部２６が、第１配管カバー２０ａの端部２４から突出した第１継手部材３０の内側に、内側配管１０の長さ方向に沿って相対移動自在に嵌め込まれ、第２継手部材４０から突出する第２配管カバー２０ｂの端部２６が、第１配管カバー２０ａの端部２４から突出した第１継手部材３０の内側に嵌め込まれた状態で、第１継手部材３０と第２継手部材４０の双方に跨がって、これらを外側から被覆する第３継手部材５０を有してなる。【選択図】図４
2019035485.tif 000002
【特許請求の範囲】
【請求項１】
内側配管と、
前記内側配管の外周に配され、前記内側配管の長さ方向に継ぎ足されてなる複数の配管カバーと、を備える配管において、
前記配管カバーのうち第１配管カバーに、前記第１配管カバーの端部の外周を被覆するとともに、その端部から突出する形で第１継手部材が取り付けられ、
前記配管カバーのうち第２配管カバーに、前記第２配管カバーを被覆するとともに、前記第２配管カバーの端部を突出させる形で第２継手部材が取り付けられ、
前記第２継手部材から突出する前記第２配管カバーの端部は、前記第１配管カバーの端部から突出した前記第１継手部材の内側に、前記内側配管の長さ方向に沿って相対移動自在に嵌め込まれ、
前記第２継手部材から突出する前記第２配管カバーの端部が、前記第１配管カバーの端部から突出した前記第１継手部材の内側に嵌め込まれた状態で、前記第１継手部材と前記第２継手部材の双方に跨がって、これらを外側から被覆する第３継手部材を有してなる配管カバーの継手構造。
【請求項２】
前記第２配管カバーが前記第１継手部材の内側に嵌め込まれた状態において、前記第２配管カバーが前記内側配管の長さ方向に沿って、前記第１配管カバーと離れる方向に相対移動することに伴い、前記第２配管カバーと前記第３継手部材との間には、前記第１配管カバーと前記第２配管カバーとによって囲まれる断熱空気層が形成される請求項１に記載の配管カバーの継手構造。
【請求項３】
前記第１配管カバーと前記第２配管カバーとは、同一の内径及び外径を有した管構造とされ、
前記第１継手部材と前記第２継手部材とは、同一の内径及び外形を有した管構造とされている請求項１または請求項２に記載の配管カバーの継手構造。
【請求項４】
前記第３継手部材は、前記第１継手部材と前記第２継手部材のいずれか一方に取り付けられ、
前記第１継手部材と前記第２継手部材のうち少なくとも前記第３継手部材が取り付けられていない方の継手部材が、その外面にシボ加工が施されてなる請求項１から請求項３のいずれか１項に記載の配管カバーの継手構造。
【請求項５】
前記第３継手部材は、前記第１継手部材と前記第２継手部材のいずれか一方に取り付けられ、当該第３継手部材の端部のうち、前記第１継手部材または前記第２継手部材に取り付けられていない方の端部の先端には、当該第３継手部材の内径よりも小さい内径を有するとともに弾性を備えた弾性リング部材が配されている請求項１から請求項４のいずれか１項に記載の配管カバーの継手構造。
【発明の詳細な説明】
【技術分野】
【０００１】
本発明は、配管カバーの継手構造に関する。
【背景技術】
【０００２】
例えば空調装置の冷媒用配管として、冷媒が流通する配管（内側配管）の外側に断熱用のカバー（配管カバー）が被覆された構成のものが知られている（特許文献１参照）。
【先行技術文献】
【特許文献】
【０００３】
【特許文献１】特開２０１５−１１７７９２号公報
【発明の概要】
【発明が解決しようとする課題】
【０００４】
このような配管においては、例えば連続して延びる内側配管に対して、内側配管の長さ方向に複数の配管カバーを継ぎ足すことで、内側配管の全長に亘った配管カバーの被覆を実現する手法が多く採用されている。ところが、配管カバーを樹脂製にて構成した場合、内側配管を流通する冷媒等の影響による熱収縮が生じ易く、その収縮が原因で継ぎ足し部分において（隣り合う配管カバーの間において）隙間が生じると、内側配管が剥き出しとなり、結露発生ないし外観不良等の不具合が生じる場合がある。
【０００５】
本発明は上記のような事情に基づいて完成されたものであって、隣り合う配管カバーの間に熱収縮等によるズレが生じた場合であっても、結露発生や外観不良等の不具合が生じにくい配管カバーの継手構造を提供することを目的とする。
【課題を解決するための手段】
【０００６】
上記課題を解決するために、本発明の配管カバーの継手構造は、内側配管と、前記内側配管の外周に配され、前記内側配管の長さ方向に継ぎ足されてなる複数の配管カバーと、を備える配管において、前記配管カバーのうち第１配管カバーに、前記第１配管カバーの端部の外周を被覆するとともに、その端部から突出する形で第１継手部材が取り付けられ、前記配管カバーのうち第２配管カバーに、前記第２配管カバーを被覆するとともに、前記第２配管カバーの端部を突出させる形で第２継手部材が取り付けられ、前記第２継手部材から突出する前記第２配管カバーの端部は、前記第１配管カバーの端部から突出した前記第１継手部材の内側に、前記内側配管の長さ方向に沿って相対移動自在に嵌め込まれ、前記第２継手部材から突出する前記第２配管カバーの端部が、前記第１配管カバーの端部から突出した前記第１継手部材の内側に嵌め込まれた状態で、前記第１継手部材と前記第２継手部材の双方に跨がって、これらを外側から被覆する第３継手部材を有してなる。
【０００７】
このような継手構造によると、第１配管カバーと第２配管カバーとの間において熱収縮等に基づくズレ（互いに管軸方向に離間し合うような変位）が生じた場合であっても、第２配管カバーが第１継手部材（ひいては第１配管カバー）に対して、第１継手部材に被覆された状態を保ったまま配管の長さ方向に沿って相対移動することとなるため、少なくとも第１継手部材の内側に嵌め込まれた第２配管カバーの長さ分だけズレを解消することが可能となる。すなわち、第１継手部材の内側に嵌め込まれた第２配管カバーが、第１継手部材の中から抜け出る方向に相対移動することで、第２配管カバーと第１配管カバーとの間には隙間が生じ得るが、第１継手部材のうち第１配管カバーの端部から突出した部分が配管を被覆するため、そのようなズレが生じたとしても、配管が被覆されなくなるような不具合が生じないものとなる。その結果、配管カバーのズレに基づいて内側配管が剥き出しとなって結露が発生する事態や、剥き出しとなって外観不良を生じる等の不具合が生じにくいものとなっている。
【０００８】
また、第２配管カバーの端部が第１継手部材の内側に嵌め込まれた状態で、第１継手部材と第２継手部材に跨がって、これらを外側から被覆する第３継手部材を有するものとしているため、第２配管カバーが第１継手部材から相対的に離れるような変位があったとしても、第２継手部材の端部から突出する第２配管カバーの外側に、空気層を介して第３継手部材が被覆される構成となり、断熱性に優れたものとなる。特に、第１継手部材と第２配管カバーとは相対移動すべく、互いの境界部分で若干の隙間を有しつつ摺動することとなるが、上記のような第３継手部材によって、第１継手部材と第２配管カバーの境界部分を含む形で第１継手部材と第２継手部材に跨がってこれらを被覆することで、そのような境界部分の隙間による断熱性低下が生じにくいものとなっている。
【０００９】
上記配管カバーの継手構造において、前記第２配管カバーが前記第１継手部材の内側に嵌め込まれた状態において、前記第２配管カバーが前記内側配管の長さ方向に沿って、前記第１配管カバーと離れる方向に相対移動することに伴い、前記第２配管カバーと前記第３継手部材との間には、前記第１配管カバーと前記第２配管カバーとによって囲まれる断熱空気層が形成されるものとすることができる。このような継手構造によると、一層確実な断熱性能を付与することが可能となる。
【００１０】
上記配管カバーの継手構造において、前記第１配管カバーと前記第２配管カバーとは、同一の内径及び外径を有した管構造とされ、前記第１継手部材と前記第２継手部材とは、同一の内径及び外形を有した管構造とされているものとすることができる。このような継手構造によると、隙間ない継手を実現することが可能となる。
【００１１】
上記配管カバーの継手構造において、前記第３継手部材は、前記第１継手部材と前記第２継手部材のいずれか一方に取り付けられ、前記第１継手部材と前記第２継手部材のうち少なくとも前記第３継手部材が取り付けられていない方の継手部材が、その外面にシボ加工が施されてなるものとすることができる。このような継手構造によると、第１継手部材と第２継手部材のうち第３継手部材が取り付けられていない方の継手部材は、第２配管カバーと第１継手部材との相対移動に伴って、第３継手部材に対して管軸方向に相対移動することとなる。この場合において、当該継手部材の外面にシボ加工を施すことで、当該継手部材と第３継手部材との間に適度な摩擦が生じ、両者間の摺動が実現されるとともに不意な抜けが防止される。
【００１２】
上記配管カバーの継手構造において、前記第３継手部材は、前記第１継手部材と前記第２継手部材のいずれか一方に取り付けられ、当該第３継手部材の端部のうち、前記第１継手部材または前記第２継手部材に取り付けられていない方の端部の先端には、当該第３継手部材の内径よりも小さい内径を有するとともに弾性を備えた弾性リング部材が配されているものとすることができる。このような継手構造によると、第１継手部材と第２継手部材のうち第３継手部材が取り付けられていない方の継手部材は、第２配管カバーと第１継手部材との相対移動に伴って、第３継手部材に対して管軸方向に相対移動することとなる。この場合において、第３継手部材の端部のうち、第１継手部材または第２継手部材に取り付けられていない方の端部の先端に、当該第３継手部材の内径よりも小さい内径を有するとともに弾性を備えた弾性リング部材を配することで、第３継手部材と継手部材（第１継手部材又は第２継手部材）との間に適度な摩擦が生じ、両者間の摺動が実現されるとともに不意な抜けが防止され、さらに相対移動する第３継手部材と継手部材（第１継手部材又は第２継手部材）との間から空気が漏れにくくなり、断熱性も高まるものとなる。
【００１３】
上記配管カバーの継手構造において、前記第２継手部材から突出する前記第２配管カバーの前記第２端部の突出長が、前記第１配管カバーの前記第１端部から突出した前記第１継手部材の突出長と略同一とされるものとすることができる。このような継手構造によると、隙間ない継手を実現することが可能となる。
【００１４】
上記配管カバーの継手構造において、前記第３継手部材は、前記第２継手部材から突出する前記第２配管カバーの端部の先端部分が、前記第１配管カバーの端部から突出した前記第１継手部材の先端部分の内側に嵌め込まれた状態で、前記第１継手部材と前記第２継手部材の双方に跨がって、これらを外側から被覆するものとすることができる。このような継手構造によると、第３継手部材は、第２配管カバーが第１配管カバーから離れた状態（すなわち第１配管カバーの端部から突出する形で取り付けられた第１継手部材の先端部分の内側に第２配管カバーの端部の先端部分が嵌め込まれた状態）であっても、第１継手部材と第２配管カバーの境界部分を含む形で第１継手部材と第２継手部材との双方に跨がって、これらを被覆することが可能となる。
【発明の効果】
【００１５】
本発明によれば、隣り合う配管カバーの間に熱収縮等によるズレが生じた場合であっても、結露発生や外観不良等の不具合が生じにくい配管カバーの継手構造を提供することが可能となる。
【図面の簡単な説明】
【００１６】
【図１】配管カバーの継手構造を備える配管を示す斜視図。
【図２】図１の配管においてその作用を示す斜視図。
【図３】図１の状態における配管の軸線方向に沿った断面図。
【図４】図２の状態における配管の軸線方向に沿った断面図。
【図５】第３継手部材の端部に取り付けられた弾性リング部材の構成を模式的に示す断面図。
【発明を実施するための形態】
【００１７】
本発明に係る構成を具備する実施形態について図１ないし図５によって説明する。
図１及び図３に示すように、本実施形態に係る配管１は、エアコンディショナー（空調装置）に用いられる冷媒（例えばハイドロフルオロカーボン等）を例えば室内機と室外機との間で移送するための配管であって、その内部を冷媒が直に流通する内側配管１０と、内側配管１０の外周に配されて保温機能を備えた配管カバー２０と、を主として備える構成とされている。
【００１８】
内側配管１０は、内部に冷媒が直に流通するため、耐久性の高い銅管等が用いられている。一方、配管カバー２０は、熱伝導性の高い内側配管１０を熱的に保護すべく保温性の高い樹脂製のもの、特には発泡樹脂製のものが用いられ、冷媒の熱が外部に移動することを防止ないし抑制するとともに、配管表面における結露発生を防止ないし抑制している。また、配管カバー２０は、複数の配管カバーが内側配管１０の長さ方向に継ぎ足されてなり、隣り合う配管カバー２０ａ，２０ｂは、継手部材３０，４０，５０を含む継手構造２により継ぎ合わされている。
【００１９】
配管カバー２０のうち第１配管カバー２０ａの端部２４の外周には、筒状の第１継手部材３０が接着剤により取り付けられている。第１継手部材３０は、第１配管カバー２０ａを被覆する第１継手被覆部３１と、第１配管カバー２０ａの端部２４の端面から突出する第１継手突出部３２とを備えて構成されている。一方、配管カバー２０のうち第２配管カバー２０ｂの外周には、第２配管カバー２０ｂの端部（第２配管カバー突出端部）２６を突出させる形で、筒状の第２継手部材４０が接着剤により取り付けられている。第２配管カバー２０ｂの端部２６における第２継手部材４０からの突出長は、第１継手突出部３２における第１配管カバー２４からの突出長と略同一とされている（図３参照）。
【００２０】
ここで、第２継手部材４０の端面から突出する第２配管カバー２０ｂの端部２６は、第１配管カバー２０ａの端面から突出した第１継手部材３０（第１継手突出部３２）の内側に、内側配管１０の長さ方向に沿って相対移動自在に嵌め込まれている（図１と図２の間の変位、または図３と図４の間の変位）。また、このように第２配管カバー２０ｂの端部２６が、第１継手部材３０（第１継手突出部３２）の内側に嵌め込まれた状態で、これら第１継手部材３０と第２継手部材４０の双方に跨がって外側から被覆する第３継手部材５０が、第１継手部材３０の外周に接着剤により取り付けられている。
【００２１】
本実施形態では、第１配管カバー２０ａと第２配管カバー２０ｂとは、同一の内径及び外径を有した管構造とされ、第１継手部材３０と第２継手部材４０とについても、同一の内径及び外形を有した管構造とされている。また、第１配管カバー２０ａ、第２配管カバー２０ｂ、第１継手部材３０、第２継手部材４０、および第３継手部材５０は、いずれも同じ材質（発泡性樹脂材料）にて構成されている。また、第３継手部材５０の内周を摺動して相対移動を行う第２継手部材４０の外面には、シボ加工４１が施されている。ただし、本実施形態では、第１配管カバー２０ａ、第２配管カバー２０ｂ、第１継手部材３０、第２継手部材４０、および第３継手部材５０の全てにおいて外面にシボ加工４１が施されている。
【００２２】
このような継手構造２では、初期状態として、図１及び図３に示すように、第１配管カバー２０ａと第２配管カバー２０ｂとが隙間無く隣り合う状態、つまり第２配管カバー２０ｂの端部２６が第１継手突出部３２の内側奥部まで嵌め込まれた状態とする。そして、内側配管１０内に冷媒が流通するに伴い、配管カバー２０ａ，２０ｂに熱収縮が生じた場合（使用経過状態として）、第２配管カバー２０ｂが内側配管１０の長さ方向に沿って、第１配管カバー２０ａと離れる方向に相対移動し、図２及び図４に示す状態となる。
【００２３】
図２及び図４に示す状態では、第１配管カバー２０ａと第２配管カバー２０ｂとの間に隙間（空間７０）が生じるが、この空間７０を第１継手部材３０が外側から被覆するものとなっている。また、第２配管カバー２０ｂと第３継手部材５０との間には、第１配管カバー２０ａと第２配管カバー２０ｂとによって囲まれる断熱空気層８０が形成される。すなわち、第３継手部材５０は、第２継手部材４０から突出する第２配管カバー２０ｂの端部２６の先端部分が、第１継手突出部３２の内側に嵌め込まれた状態で、第１継手部材３０と第２継手部材４０の双方に跨がって、これらを断熱空気層８０を介して外側から被覆する構成となっている。
【００２４】
第３継手部材５０の端部には、図５にも示すように、弾性リング部材６０が配されている。具体的には、第３継手部材５０の端部のうち、第２継手部材４０との境界に位置する端部の先端に、第３継手部材５０の内径よりも小さい内径を有して弾性を示す弾性リング部材６０が配されている。
【００２５】
以上のような構成を備えた本実施形態の配管カバーの継手構造２によると、第１配管カバー２０ａと第２配管カバー２０ｂとの間において熱収縮等に基づくズレ（互いに管軸方向に離間し合うような変位）が生じた場合であっても、第２配管カバー２０ｂが第１継手部材３０（ひいては第１配管カバー２０ａ）に対して、第１継手部材３０に被覆された状態を保ったまま内側配管１０の長さ方向に沿って相対移動することとなるため、少なくとも第１継手部材３０の内側に嵌め込まれた第２配管カバー２０ｂの長さ分だけズレを解消することが可能となる。すなわち、第１継手部材３０の内側に嵌め込まれた第２配管カバー２０ｂが、第１継手部材２０ａの中から抜け出る方向に相対移動することで、第２配管カバー２０ｂと第１配管カバー２０ａとの間には隙間が生じ得るが、第１継手部材３０のうち第１配管カバー２０ａの端部から突出した部分（第１継手突出部３２）が内側配管１０を被覆するため、そのようなズレが生じたとしても、内側配管１０が剥き出しとなるような不具合が生じないものとなる。その結果、配管カバー２０のズレに基づいて内側配管１０が剥き出しとなって結露が発生する事態や、剥き出しとなって外観不良を生じる等の不具合が生じにくいものとなっている。
【００２６】
また、第２配管カバー２０ｂの端部２６が第１継手部材３０の内側に嵌め込まれた状態で、第１継手部材３０と第２継手部材４０に跨がって、これらを外側から被覆する第３継手部材５０を有するため、第２配管カバー２０ｂが第１継手部材３０から相対的に離れるような変位があったとしても、第２継手部材４０の端部から突出する第２配管カバー２０ｂの外側に、空気層８０を介して第３継手部材５０が被覆される構成となり、断熱性に優れたものとなっている。特に、第１継手部材３０と第２配管カバー２０ｂとは相対移動すべく、互いの境界部分で若干の隙間を有しつつ摺動することとなるが、第３継手部材５０によって、第１継手部材３０と第２配管カバー２０ｂの境界部分を含む形で第１継手部材３０と第２継手部材４０に跨がってこれらを被覆することで、そのような境界部分の隙間による断熱性低下が生じにくいものとなっている。
【００２７】
また、第３継手部材５０は、第１継手部材３０と第２継手部材４０のいずれか一方（本実施形態では第１継手部材３０）に取り付けられ、第１継手部材３０と第２継手部材４０のうち少なくとも第３継手部材５０が取り付けられていない方の継手部材（本実施形態では第２継手部材４０）が、その外面にシボ加工が施されている。第２継手部材４０は、第２配管カバー２０ｂと第１継手部材３０との相対移動に伴って、第３継手部材５０に対して管軸方向に摺動しつつ相対移動することとなる。この場合において、第２継手部材４０の外面にシボ加工を施すことで、第２継手部材４０と第３継手部材５０との間に適度な摩擦が生じ、両者間の適度な摺動が実現されるとともに不意な抜けが防止されている。
【００２８】
また、第３継手部材５０は、第１継手部材３０と第２継手部材４０のいずれか一方（本実施形態では第１継手部材３０）に取り付けられ、取り付けられていない方の端部（本実施形態では第２継手部材４０側の端部）の先端には、第３継手部材５０の内径よりも小さい内径を有するとともに弾性を備えた弾性リング部材６０が配されている。第２継手部材４０は、第２配管カバー２０ｂと第１継手部材３０との相対移動に伴って、第３継手部材５０に対して管軸方向に摺動しつつ相対移動することとなる。この場合において、第３継手部材５０の第２継手部材４０側端部の先端に弾性リング部材６０を配することで、第３継手部材５０と第２継手部材４０との間に適度な摩擦が生じ、両者間の適度な摺動が実現されるとともに不意な抜けが防止され、さらに相対移動する第３継手部材５０と第２継手部材４０との間から空気が漏れにくくなり、断熱性も高まるものとなる。
【００２９】
以上、本発明の実施形態について説明したが、本発明は上記記述及び図面によって説明した実施形態に限定されるものではない。例えば上記実施形態においては、本発明に係る継手構造を備えた配管として空調装置における冷媒配管を例示したが、水等の液体を移送する配管（例えば水道配管）等にも本発明に係る継手構造を適用可能である。
【符号の説明】
【００３０】
１…配管、２…継手構造、１０…内側配管、２０…配管カバー、２０ａ…第１配管カバー、２０ｂ…第２配管カバー、２４…端部、２６…端部、３０…第１継手部材、３２…第１継手突出部、４０…第２継手部材、５０…第３継手部材
【図１】
2019035485.tif 000003
【図２】
2019035485.tif 000004
【図３】
2019035485.tif 000005
【図４】
2019035485.tif 000006
【図５】
2019035485.tif 000007